(57)【特許請求の範囲】
【請求項１】
炭酸ガスを人体の皮膚に接触させることにより、血管を拡張させると共に血液循環を改善させるための装置であって、
炭酸ガスと水蒸気の混合ガスを供給する炭酸ガス供給手段と、
圧縮空気を供給する圧縮空気供給手段と、
前記炭酸ガス供給手段から前記混合ガスの供給を受けると共に、前記圧縮空気供給手段から圧縮空気の供給を受ける２層構造の被覆ウェアと、を有し、
前記２層構造の被覆ウェアは、
前記混合ガスを人体の皮膚に直接接触させるために前記混合ガスを人体の皮膚との間で内包する内側の被服ウェア層と、
前記圧縮空気を前記内側の被覆ウェア層の外面との間で封止する外側の被覆ウェア層と、から構成され、
前記内側の被覆ウェア層と前記外側の被覆ウェア層間に密封封止された圧縮空気によって、前記被服ウェア層内に充填された前記混合ガスを人体の皮膚表面に押圧した状態で接触させることを特徴とした炭酸ガス圧浴装置。
【請求項２】
前記炭酸ガス供給手段は、炭酸ガスを封入した炭酸ガスボンベが挿入される炭酸ガス挿入部と、水を受け入れる貯水部と、を備え、炭酸ガスボンベ内の炭酸ガスを前記貯水部内に放出させることにより、前記炭酸ガスと水蒸気の混合ガスを得ることを特徴とする請求項１に記載の炭酸ガス圧浴装置。
【請求項３】
前記貯水部は、摂氏４０乃至７０度の温水を貯水することを特徴とする請求項２に記載の炭酸ガス圧浴装置。
【請求項４】
前記圧縮空気供給手段から供給される空気圧は、１．２乃至２．５気圧であることを特徴とする請求項１に記載の炭酸ガス圧浴装置。
【請求項５】
前記圧縮空気供給手段は、圧縮空気ボンベを備えることを特徴とする請求項４に記載の炭酸ガス圧浴装置。
【請求項６】
前記圧縮空気供給手段は、電気駆動されるコンプレッサを備えることを特徴とする請求項４に記載の炭酸ガス圧浴装置。
【請求項７】
前記圧縮空気供給手段は、手動の袋状の空気圧器を備えることを特徴とする請求項４に記載の炭酸ガス圧浴装置。
【請求項８】
前記被覆ウェアは、人体の腰部及び両下肢を包む下半身用の被覆ウェアであることを特徴とする請求項１に記載の炭酸ガス圧浴装置。
【請求項９】
前記被覆ウェアは、人体の腹部及び両上肢を包む上半身用の被覆ウェアであることを特徴とする請求項１に記載の炭酸ガス圧浴装置。
【請求項１０】
前記被覆ウェアは、人体の片足を包む片下肢用の被覆ウェアであることを特徴とする請求項１に記載の炭酸ガス圧浴装置。
【請求項１１】
前記被覆ウェアは、人体の片手を包む片上肢用の被覆ウェアであることを特徴とする請求項１に記載の炭酸ガス圧浴装置。
【請求項１２】
前記被覆ウェアは、ポリエチレン、ポリプロピレン、ポリ塩化ビニリデン、ポリスチレン、ポリ酢酸ビニル、ポリ塩化ビニル、ナイロン、又はポリテトラフルオロエチレン、織布又は不織布の中の何れか一つ又は複数の組み合わせにより形成されていることを特徴とする請求項９乃至１１に記載の炭酸ガス圧浴装置。
【請求項１３】
前記被覆ウェアは、その開口部に紐又は面ファスナーの締付手段が取り付けられており、これにより、炭酸ガスと水蒸気の混合ガスの大気中への放散を防止するようにした請求項１２に記載の炭酸ガス圧浴装置。
【請求項１４】
前記被覆ウェアに設けられた接続器は、タップが形成された捻じ込み式の接続器又は嵌め込み式の接続器であることを特徴とする請求項１に記載の炭酸ガス圧浴装置。
【発明の詳細な説明】
【技術分野】
【０００１】
本発明は、炭酸ガスを人体の皮膚に直接に接触させることにより、血管を拡張させると共に、血液循環を改善させるための炭酸ガス入浴装置に関するものであり、特に、炭酸ガスを圧縮空気により所定の圧力値以上で人体の皮膚に接触させる炭酸ガス圧浴装置に関する。
【背景技術】
【０００２】
従来から、炭酸ガス（二酸化炭素：ＣＯ２）が人体の皮膚から吸収されると、血管を拡張させることが知られている。炭酸ガスは、単に皮膚に触れるだけで皮下に浸透し、人体における炭酸ガスの浸透部位の血管を拡張させ血液循環を改善するため、血圧を降下させ、心臓の負担を軽減し、代謝を改善し、疼痛物質や老廃物の排除を促す等の種々の生理的効果を発揮する。
【０００３】
このため、従来から高血圧や心臓病、動脈硬化の治療等に炭酸泉浴等が利用されており、また近年では、医療目的のみならず、炭酸ガスによる血行促進効果によって健康増進、美容促進といった点からも広く注目を集めている。
【０００４】
炭酸ガスを人体に吸収させるための従来技術の例として最も広く利用されているのは、浴槽内の湯中に投入することにより炭酸ガスを発生する入浴剤である。入浴剤を湯中に入れると、入浴剤の中に閉じ込められていた炭酸ガスが泡状になって湯中において発生しその一部が湯の中に溶け込んで入浴する人の皮膚に接触し、炭酸ガスが皮膚から体内に浸透して上記したような生理的効果を発揮させようとするものである。
【０００５】
さらに、炭酸ガスをより多く人体に接触させる従来技術として、炭酸ガス入浴装置が知られている（例えば、特許文献１、特許文献２及び特許文献３）。
【０００６】
この種の装置は、水中に炭酸ガスを高濃度に溶け込ませるための装置であり、特許文献１には、炭酸ガス入浴剤溶解部２と微小孔４を有する炭酸ガス拡散装置１と、から構成され、溶解部２と拡散装置１間に設置された微小孔３および拡散装置部に設けられた微小孔４の両者にて、炭酸ガスの泡は微小になり、炭酸ガスが浴槽水と接する面積が格段に拡大し、かつ接する時間が長くなり、さらには入浴剤の周囲の泡による浮き上がりを防止し、最後まで入浴剤が浴槽水内において炭酸ガスを放散させ続けさせる入浴剤用炭酸ガス拡散装置が開示されている。
【０００７】
また、引用文献２及び引用文献３には、浴槽に炭酸ガス発生装置を接続し、炭酸ガス発生装置から供給される多量の炭酸ガスを浴槽内の浴槽水に積極的に溶け込ませるように細かい気泡状に噴出させる浴槽用マイクロバブル発生装置および炭酸ガス併用シャワー入浴装置が記載されている。
【特許文献１】特開２００６−２０９８５号公報
【特許文献２】特開２００７−１５９９０２号公報
【特許文献３】特開２００５−１６８８５９号公報
【発明の開示】
【発明が解決しようとする課題】
【０００８】
しかし、これ等の公知技術は、何れも入浴時において浴槽水の中に炭酸ガスを溶け込ませて人体の皮膚から炭酸ガスを吸収させようとするものであって、多量の炭酸ガスを消費する割には、皮膚からの炭酸ガスの吸収率は決して高くないという問題があった。また、その利用は、入浴時に限定されていた。
【０００９】
また、水中に溶け込んだ炭酸ガスは、人体の皮膚に対して大気圧程度（大気圧と浴槽内の水圧の加算値）の圧力で接触するため、炭酸ガスの皮膚からの浸透性は良好ではなかった。
【００１０】
本発明は、上記従来の問題点に鑑みてなされたものであり、所定値以上濃度の炭酸ガスを所定の圧力値以上で人体の皮膚に積極的に接触させることにより、少量の炭酸ガスでも効率的に人体の皮膚から吸収させることが可能な炭酸ガス圧浴装置を提供することを目的とする。
【課題を解決するための手段】
【００１１】
このため、本発明は、炭酸ガスを人体の皮膚に接触させることにより、血管を拡張させると共に血液循環を改善させるための装置であって、炭酸ガスと水蒸気の混合ガスを供給する炭酸ガス供給手段と、圧縮空気を供給する圧縮空気供給手段と、前記炭酸ガス供給手段から前記混合ガスの供給を受けると共に、前記圧縮空気供給手段から圧縮空気の供給を受ける２層構造の被覆ウェアと、を有し、前記２層構造の被覆ウェアは、前記混合ガスを人体の皮膚に直接接触させるために前記混合ガスを人体の皮膚との間で内包する内側の被服ウェア層と、前記圧縮空気を前記内側の被覆ウェア層の外面側との間で封止する外側の被覆ウェア層と、から構成され、前記内側の被覆ウェア層と前記外側の被覆ウェア層間に密封封止された圧縮空気によって、前記被服ウェア層内に充填された前記混合ガスを人体の皮膚表面に押圧した状態で接触させることを特徴とした炭酸ガス圧浴装置を提供するものである。
【００１２】
このように、本炭酸ガス圧浴装置においては、被覆ウェアにおいて形成された圧縮空気層が、直接人体の皮膚に接する炭酸ガスと水蒸気の混合ガスを一定の圧力で皮膚に押圧するので、炭酸ガスの皮膚からの浸透性を著しく向上させているのである。また、炭酸ガスと水蒸気の混合ガスそのものの圧力を高める必要がないので、大量の炭酸ガスを必要とせず、炭酸ガスを効率的に使用することができるのである。
【００１３】
ところで、本炭酸ガス圧浴装置において使用する炭酸ガス供給装置は、炭酸ガスを封入した炭酸ガスボンベが挿入される炭酸ガス挿入部と、水を受け入れる貯水部と、を備え、炭酸ガスボンベ内の炭酸ガスを微粒サイズの気泡状にして前記貯水部内に放出させることにより、前記炭酸ガスと水蒸気の混合ガスを得るのである。
【００１４】
そして、前記炭酸ガス供給装置内における温水の温度は、摂氏４０乃至７０度とすることにより、入浴と同様に皮膚を温めてそれ自体で血行を良好にさせることを可能にしているのである。そして、前記圧縮空気供給手段は、ヒータ手段を備え、ヒータ手段のオン／オフにより温風空気又は冷風空気を供給することも可能にしたのである。
【００１５】
そして、前記圧縮空気供給手段から供給される空気圧は、１．２乃至２．５気圧である。これにより、圧縮空気による皮膚に対する圧力マッサージ効果をも発揮させることを可能としたのである。
【００１６】
このため、前記圧縮空気供給手段は、（１）圧縮空気ボンベ、（２）電気駆動されるコンプレッサ、又は（３）手動の袋状の空気圧器（例えば、血圧計に用いられる手動の空気袋又は浮き袋に空気を入れる足踏みタイプの空気圧記）を用いる。
【００１７】
ところで、前記被覆ウェアは、人体の腰部及び両下肢を包む下半身用の被覆ウェア、人体の腹部及び両上肢を包む上半身用の被覆ウェア、人体の片足を包む片下肢用の被覆ウェア、人体の片手を包む片上肢用の被覆ウェア等、種々の被覆ウェアが利用できる。そして、これ等の種々のタイプの被覆ウェアは、複数を同時使用することができるのである。
【００１８】
そして、前記被覆ウェアは、ポリエチレン、ポリプロピレン、ポリ塩化ビニリデン、ポリスチレン、ポリ酢酸ビニル、ポリ塩化ビニル、ナイロン、又はポリテトラフルオロエチレン、織布又は不織布の中の何れか一つ又は複数の組み合わせにより形成される。また、前記被覆ウェアは、その開口部に紐又は面ファスナーの締付手段が取り付けられており、これにより、炭酸ガスと水蒸気の混合ガスの大気中への放散を防止しているのである。
【００１９】
前記被覆ウェアに設けられた、前記炭酸ガス供給手段からの混合ガスと前記圧縮空気供給手段からの圧縮空気を受け入れるための各接続器は、タップが形成された捻じ込み式の接続器又は嵌め込み式の接続器とする。
【発明の効果】
【００２０】
上記したように、本発明に係る炭酸ガス圧浴装置においては、炭酸ガス供給手段から供給される炭酸ガスと水蒸気の混合ガスを人体の皮膚に直接接触させると共に、圧縮空気供給手段から供給される圧縮空気を封止する密閉層を形成する２層構造の被覆ウェアと、から構成され、炭酸ガスを前記圧縮空気により所定の圧力値以上で人体の皮膚に接触させるので、被覆ウェアにおいて形成された圧縮空気層が、直接人体の皮膚に接する炭酸ガスと水蒸気の混合ガスを一定の圧力で皮膚に押圧するので、炭酸ガスの皮膚からの浸透性を著しく向上させているのである。さらには、炭酸ガスと水蒸気の混合ガスそのものの圧力を高める必要がないので、大量の炭酸ガスを必要とせず、炭酸ガスを効率的に使用することができたのである。
【発明を実施するための最良の形態】
【００２１】
以下、図面を参照しながら本発明の実施の形態について説明する。
〔第１の実施形態〕
図１は、本発明の第１実施形態を示す炭酸ガス圧浴装置（下半身用）の全体模式図である。そして、図２は、被覆ウェアの断面と人体の皮膚との接触関係を説明する要部拡大図を示し、図３は、炭酸ガス供給装置の模式図である。
【００２２】
本発明に係る炭酸ガス圧浴装置は、図１に示すように、炭酸ガスを水蒸気に含ませた状態で供給する炭酸ガス供給装置（特許請求の範囲の「炭酸ガス供給手段」と同じ）１と、圧縮空気を供給するコンプレッサ（特許請求の範囲の「圧縮空気供給手段」と同じ）２と、人体（ここでは例として下半身）を覆い、炭酸ガスと水蒸気の混合ガスを充満させてその部位の皮膚に混合ガスを接触、吸収させる炭酸ガスと水蒸気の混合ガス層４と圧縮空気を充満させてこの炭酸ガスと水蒸気の混合ガス層４に加圧する加圧層５とを有する被覆ウェア３と、炭酸ガス供給装置１と被覆ウェア３の炭酸ガスと水蒸気の混合ガス層４とを接続するコネクタ６と、コンプレッサ２と被覆ウェア３の加圧層５とを接続するコネクタ７と、から構成される。
【００２３】
被覆ウェア３は、上述したように人体（ここでは下半身）を覆い包む形状をしており、その開口部には、着脱を可能にすると共に炭酸ガスと水蒸気の混合ガスの漏出を防ぐ止着部８が設けられている。
【００２４】
図２に示すように、被覆ウェア３は二層に形成されており、内側の被覆ウェア素材１０と皮膚９との間に形成される内側の層が、炭酸ガスと水蒸気の混合ガス層４である。炭酸ガス供給装置１からコネクタ６を介して、この炭酸ガスと水蒸気の混合ガス層４に混合ガスが供給される。また内側の被覆ウェア素材１０と外側の被覆ウェア素材１１の間に形成される外側の層が加圧層５である。この加圧層５には、コンプレッサ２からコネクタ７を介して圧縮空気が供給される。それにより炭酸ガスと水蒸気の混合ガス層４を外側から加圧し、皮膚９からの混合ガスの吸収を促進する。
【００２５】
この被覆ウェア３は非通気性素材（例えば、ポリエチレン、ポリプロピレン、ポリ塩化ビニリデン、ポリスチレン、ポリ酢酸ビニル、ポリ塩化ビニル、ナイロン、ポリテトラフルオロエチレン、織布又は不織布の中の何れか一つ又は複数の組み合わせ等）から成る。
【００２６】
上述の止着部８は、伸縮性があり体にフィットする素材から構成され、面ファスナーにより使用者の体型に合わせた位置で止着して被覆ウェア３の炭酸ガスと水蒸気の混合ガス層４内を密閉し、混合ガスが大気中に放散するのを防ぐ。加圧層５はこの止着部８に縫いこまれているため予め密閉性を有する構造となっている。なお、ここでは止着部８の止着を面ファスナーによるものとしたが、このほかに紐やゴム、あるいはそれらの組み合わせを用いても良い。また、空気圧による締め付けで止着できる構造としても良い。
【００２７】
炭酸ガス供給装置１は、図３に示すように、温水中に炭酸ガスを放出することにより炭酸ガスと水蒸気の混合ガスを得る装置である。この炭酸ガス供給装置１は、温水１９を注入する温水注入口１２と、温水注入口１２から注入された温水１９を貯水する貯水タンク１３と、炭酸ガスボンベ１７を開栓するための針が内部に設けられ、貯水タンク１３内の温水１９中に炭酸ガスを放出させる炭酸ガス挿入部１４と、温水１９に炭酸ガス１８が放出されることで発生する炭酸ガスと水蒸気の混合ガス２０を取り出すための混合ガス供給口１５と、炭酸ガスボンベ１７を固定すると共に炭酸ガスボンベ１７を炭酸ガス挿入部１４に押し当てるためのキャップ１６と、から構成される。
【００２８】
そこでまず、温水注入口１２から貯水タンク１３内に摂氏４０度から７０度程度の温水１９を注入する。次いで、炭酸ガス挿入部１４に炭酸ガスボンベ１７を挿入する。キャップ１６を締めることにより二酸化炭素ボンベ１３は押し下げられ、キャップ１６を完全に締めると炭酸ガスボンベ１７は炭酸ガス挿入部１４内に設けられた針により開栓される。すると炭酸ガス１８が勢いよく温水１９中に放出される。これにより炭酸ガスと水蒸気の混合ガス２０が発生し、混合ガス供給口１５より被覆ウェア３に供給される。
【００２９】
ここで、上記したように、炭酸ガスは、皮膚から浸透して血管を拡張して血行を促進させる生理作用を有するものであるが、本炭酸ガス圧浴装置においては、さらに、温水注入口１２から貯水タンク１３内に注入する温水中に、メンソール等の清涼作用を生じさせる薬剤、血行をより促進させるビタミンＥ、皮膚表面に付着している細菌等を消毒する薬剤等を入れて、炭酸ガスによる生理作用との相乗的生理効果を生じさせることも可能である。
【００３０】
なお、炭酸ガス供給装置１の構成は上記に限定せず、例えばここではカートリッジ式の小型の炭酸ガスボンベ１３を例として用いたが、これに代えて業務用の大型ガスボンベ等にバルブを介して接続しても良い。
【００３１】
コンプレッサ２は被覆ウェア３の加圧層５に圧縮空気を供給する。例えばコンプレッサ２として、家庭用の布団乾燥機等を用いても良い。
【００３２】
炭酸ガス供給装置１と被覆ウェア３の炭酸ガスと水蒸気の混合ガス層４とを接続するコネクタ６、及びコンプレッサ２と被覆ウェア３の加圧層５とを接続するコネクタ７は、それぞれ端部にタップが形成され、捻じ込み式又は嵌め込み式で被覆ウェア３に接続される。またその内部には、ガスの逆流を防ぐための逆止弁を有している。
【００３３】
以上のように、本発明に係る炭酸ガス圧浴装置では、加圧により少量の炭酸ガスでも皮膚から効率よく吸収させることができる。
【００３４】
なお、上記実施形態では下半身のみを対象としていたが、被覆ウェアの形状を変えることにより様々な部位の炭酸ガス圧浴が可能になる。
【００３５】
〔第２の実施形態〕
図４は、本発明の第２実施形態を示す炭酸ガス圧浴装置（上半身用）の模式図である。
ここでは、上半身の炭酸ガス圧浴を目的とする炭酸ガス圧浴装置について説明する。なお、この図において、図１と重複する部分には同一の符号を付して説明を省略する。
図４において、３０は炭酸ガスと水蒸気の混合ガス層３１と加圧層３２の二層構造を有する被覆ウェア、３３，３４は被覆ウェア３０の止着部である。この図に示すように、本実施形態の被覆ウェア３０は上半身全体を覆い包む形状をしている。腰部の開口には止着部３３が設けられ、使用者の体型に合わせた位置で体にフィットするように止着して、ガスの漏出を防ぐようになっている。また、首部の開口にも、簡単に着脱を可能にしてかつガスの漏出を防げるよう止着部３４を設ける。これらの止着部３３，３４はそれぞれ、面ファスナーのほか、紐、ゴム、あるいはそれらの組み合わせより構成するのが好ましい。また、空気圧による締め付けで止着できる構造としても良い。
【００３６】
〔第３の実施形態〕
図５は、本発明の第３実施形態を示す炭酸ガス圧浴装置（片下肢用）の模式図である。
ここでは、片下肢の炭酸ガス圧浴を目的とする炭酸ガス圧浴装置について説明する。なお、この図において、図１と重複する部分には同一の符号を付して説明を省略する。
図５において、４０は炭酸ガスと水蒸気の混合ガス層４１と加圧層４２の二層構造を有する被覆ウェア、４３は被覆ウェア４０の止着部である。この図に示すように、本実施形態の被覆ウェア４０は片下肢全体を覆い包む形状をしている。太腿部の開口には止着部４３が設けられ、使用者の体型に合わせた位置で体にフィットするように止着して、ガスの漏出を防ぐようになっている。
【００３７】
〔第４の実施形態〕
図６は、本発明の第４実施形態を示す炭酸ガス圧浴装置（片上肢用）の模式図である。
ここでは、片上肢の炭酸ガス圧浴を目的とする炭酸ガス圧浴装置について説明する。なお、この図において、図１と重複する部分には同一の符号を付して説明を省略する。
図６において、５０は炭酸ガスと水蒸気の混合ガス層５１と加圧層５２の二層構造を有する被覆ウェア、５３は被覆ウェア５０の止着部である。この図に示すように、本実施形態の被覆ウェア５０は片上肢全体を覆い包む形状をしている。上腕部の開口には止着部５３が設けられ、使用者の体型に合わせた位置で体にフィットするように止着して、ガスの漏出を防ぐようになっている。
【００３８】
なお、図６（ａ）においては圧縮空気供給手段としてコンプレッサ２を配置したが、図６（ｂ）ではこれに代わって手動の空気圧器として、袋状の送気球５４を配置している。この送気球５４は、例えば手動式血圧計の加圧用送気球と同様の構成とする。ゴム等から成り、手動で加圧層５２内に送気して簡単に加圧することができる。
【００３９】
〔第５の実施形態〕
図７は、本発明の第５実施形態を示す炭酸ガス圧浴装置の模式図である。
この実施形態では、被覆ウェアの加圧層の外側に、圧力を調整するためのフレームを設けている。なお、この図において、図１と重複する部分には同一の符号を付して説明を省略する。
図７において、６０は炭酸ガスと水蒸気の混合ガス層６１と加圧層６２の二層構造を有する被覆ウェア、６３は被覆ウェア６０の止着部、６４は加圧層６２の外側に設けられる圧力調整のためのフレームである。
【００４０】
このフレーム６４は、例えばナイロン樹脂等から成り、被覆ウェア６０に環状もしくはスパイラル状に巻き付けられ固着される構成とする。また、図７に示すように片下肢用ならば、太腿から足首へ行くほどフレーム６４の半径が小さくなる等、人体の概略形状に合わせて形成される。それにより、加圧層６２の圧力が外側に向かうのを防ぎ、また人体の概略形状に合わせて均一に加圧することができるため、炭酸ガスの吸収効率をさらに向上させることができる。
【００４１】
上記したように、本発明に係る炭酸ガス圧浴装置の種々の実施の形態について詳しく説明したが、要するに、本炭酸ガス圧浴装置においては、炭酸ガス供給手段から供給される炭酸ガスと水蒸気の混合ガスを人体の皮膚に直接接触させると共に、前記圧縮空気供給手段から供給される圧縮空気を封止する密閉層を形成する２層構造の被覆ウェアと、から構成され、炭酸ガスを前記圧縮空気により所定の圧力値以上で人体の皮膚に接触させるようにしている。
【００４２】
これにより、本炭酸ガス圧浴装置においては、被覆ウェアにおいて形成された圧縮空気層が、直接人体の皮膚に接する炭酸ガスと水蒸気の混合ガスを一定の圧力で皮膚に押圧するので、炭酸ガスの皮膚からの浸透性を著しく向上させているのである。また、炭酸ガスと水蒸気の混合ガスそのものの圧力を高める必要がないので、大量の炭酸ガスを必要とせず、炭酸ガスを効率的に使用することができたのである。
【００４３】
以上、本発明の実施形態について説明したが、本発明は上記実施形態に限定されるものではなく、本発明の趣旨に基づき種々の変形が可能であり、これらを本発明の範囲から排除されるものではない。
【産業上の利用可能性】
【００４４】
本発明は、炭酸ガスを人体の皮膚に直接に接触させることにより、血管を拡張させると共に、血液循環を改善させるための炭酸ガス入浴装置に関するものであり、特に、炭酸ガスを圧縮空気により所定の圧力値以上で人体の皮膚に接触させる炭酸ガス圧浴装置に関するものであり、産業上の利用可能性を有する。
【図面の簡単な説明】
【００４５】
【図１】本発明の第１実施形態を示す炭酸ガス圧浴装置（下半身用）の全体模式図である。
【図２】被覆ウェアの断面と人体の皮膚との接触関係を説明する図である。
【図３】炭酸ガス供給装置の模式図を示す。
【図４】本発明の第２実施形態を示す炭酸ガス圧浴装置（上半身用）の模式図である。
【図５】本発明の第３実施形態を示す炭酸ガス圧浴装置（片下肢用）の模式図である。
【図６】本発明の第４実施形態を示す炭酸ガス圧浴装置（片上肢用）の模式図である。
【図７】本発明の第５実施形態を示す炭酸ガス圧浴装置の模式図である。
【符号の説明】
【００４６】
１  炭酸ガス供給装置
２  コンプレッサ
３、３０、４０、５０、６０  被覆ウェア
４、３１、４１、５１、６１  炭酸ガスと水蒸気の混合ガス層
５、３２、４２、５２、６２  加圧層
６、７  コネクタ
８、３３、３４、４３、５３、６３  止着部
９  皮膚
１０  内側の被覆ウェア素材
１１  外側の被覆ウェア素材
１２  温水注入口
１３  貯水タンク
１４  炭酸ガス挿入部
１５  混合ガス供給口
１６  キャップ
１７  炭酸ガスボンベ
１８  炭酸ガス
１９  温水
２０  炭酸ガスと水蒸気の混合ガス
５４  送気球
６４  フレーム
【図１】
0004253025.tif 000002
【図２】
0004253025.tif 000003
【図３】
0004253025.tif 000004
【図４】
0004253025.tif 000005
【図５】
0004253025.tif 000006
【図６】
0004253025.tif 000007
【図７】
0004253025.tif 000008